(57)【要約】【課題】工業的生産になじみ易く、容器の内溶液が容器底部に残留することがなく、加えて容器底部の強度を高めることのできるポンプ付容器を提供する。【解決手段】容器３にポンプ２を螺着して内溶液２０を注出するポンプ容器であって、容器３の底部４は、その周縁５から中心６にかけて、接地部７、急斜面で上昇させたリング状山部８、及びなだらかな斜面で接地部７の少なくともほぼ同一レベルまで下降させた盆地部９を、順次同心的に形成してなり、盆地部９の中心部１０にポンプ２の吸引パイプ１１を下ろし、且つ盆地部９と接地部７とを連通させる通路１２を設けることで、底部７の接地部７及び盆地部９に残留した内溶液２０を更に消費すると、一義的に盆地部９にある内溶液２０が減るが、通路１２により接地部７にある内溶液２０が盆地部９内に流れ、接地部７及び盆地部９に残留している内溶液２０がほぼなくなるまで消費できて、上記課題を達成できる。【選択図】      図４
2004284655.tif 000002
【特許請求の範囲】
【請求項１】
容器口部に螺着したポンプ操作によって内容液を注出するポンプ容器であって、前記容器の底部は、その周縁から中心にかけて、接地部、該接地部から急傾斜で上昇させてなるリング状山部、及び該リング状山部からなだらかな傾斜で前記接地部の少なくともほぼ同一レベルまで下降させてなる盆地部を、順次同心的に連続して形成してなり、前記盆地部の中心部に前記ポンプの吸引パイプを下ろし、且つ前記盆地部と前記接地部との間にこれらを連通させる通路を設けたことを特徴とするポンプ付容器。
【請求項２】
前記盆地部の中心部に前記吸引パイプのピットを設けた請求項１記載のポンプ付容器。
【発明の詳細な説明】
【０００１】
【発明の属する技術分野】
本発明は、シャンプー、リンス、洗剤、その他薬液等の内容液をポンプにより注出するポンプ付容器に関し、詳しくは容器の底部が、その周縁から中心にかけて、接地部、リング状山部及び接地部のほぼ同レベルまで下降させてなる盆地部を、順次同心的に形成し、盆地部の中心部にポンプの吸引パイプを下ろし、且つ盆地部と接地部とを連通させる通路を設けて、容器の残留内容液量を減少させるポンプ付容器に関する。
【０００２】
【従来の技術】
従来のポンプ付容器は、例えば図５に示すように、その口部ａにポンプｂを取り付け、その底部ｃはその周縁に接地部ｄがあり、その接地部ｄから中心に行くに従い徐々にせり上がり、その中心部ｅにポンプｂの吸引パイプｆが下りている構造となっており（容器Ａという）、この容器は、ダイレクトブロー成形や二軸延伸ブロー成形によって成形されている。従って、このような構造のポンプ付容器Ａでは、内容液ｇが接地部ｄから中心部ｅにかけてかなりの量が残ってしまうという不都合がある。このようなことは、資源の無駄使いとなるばかりでなく、不経済でもある。しかも、残留した内容液ｇを残らず使用するためには、口部ａからポンプｂを取り外さなければならず、煩わしい。
【０００３】
【特許文献１】特開平１０−２５０７５６号公報
このような状況から、内容液ｇの残りを出来るだけ少なくすることを技術的課題とした技術が提案されている。例えば、特許文献１には、容器の底部の中心部に外方に出る凸部分を設け、この凸部分から底部を上方に向かって傾斜させ、更に容器を自立させるために底部の周縁に支えを設けて、この凸部分にポンプの吸引パイプを下ろして、内容液を残らず使用できるようにしたものが記載されている。
【０００４】
【特許文献２】特開２００１−１０６８３号公報
また、特許文献２には、容器の底部が底端周壁とこれから上方にわずかに湾曲した底壁とからなり、この底壁の中央は平坦面であり、この中央平坦面を囲うようにして複数の隆起部を突設したものが記載されている。この容器は、この中央平坦面にポンプの吸引パイプが下ろされ、この吸引パイプが複数の隆起部によりその妄動を押さえられ、複数の隆起部の間が内容液の通路となり、底端周壁に残留する内容液を残らず使用できるようにしている。
【０００５】
【発明が解決しようとする課題】
しかしながら、特許文献１の先行技術は、アイデア的にはおもしろいものであるが、実際には、成形技術としてそのような容器底部を効率良く作ることが難しく、特に容器を自立させるための支えを底部の周縁に設けるには、特殊な成形技術が必要であるため、生産性が向上せず、コスト上昇の要因となる。また、特許文献２の先行技術は、容器の接地面となり内容液が溜まってしまう底端周壁から、底壁がわずかではあるが上方に湾曲しているため、この底壁の中央平坦面は底端周壁より高くならざるをえない。従って、この中央平坦面に下ろされたポンプの吸引パイプから内容液を残らず使用することは事実上出来ないものであり、上記の技術的課題の解決とはならない。
【０００６】
そこで、本発明の目的は、工業的生産になじみ易い構造であり、容器の内容液が容器底部に残留することがなく、加えて底部の強度を高めることの出来るポンプ付容器を提供することにある。
【０００７】
【課題を解決するための手段】
本発明は、上記目的を達成するために提案されたものであって、下記の構成からなることを特徴とするものである。
すなわち、本発明によれば、容器口部に螺着したポンプ操作によって内容液を注出するポンプ容器であって、前記容器の底部は、その周縁から中心にかけて、接地部、該接地部から急傾斜で上昇させてなるリング状山部、及び該リング状山部からなだらかな傾斜で前記接地部の少なくともほぼ同一レベルまで下降させてなる盆地部を、順次同心的に連続して形成してなり、前記盆地部の中心部に前記ポンプの吸引パイプを下ろし、且つ前記盆地部と前記接地部との間にこれらを連通させる通路を設けたことを特徴とするポンプ付容器が提供される。
【０００８】
また、本発明によれば、前記盆地部の中心部に前記吸引パイプのピットを設けた上記ポンプ付容器が提供される。
【０００９】
【発明の実施の形態】
以下に、図面を参照して本発明の実施の形態を説明する。
図１は本発明の実施の形態を示すポンプ付容器の一部の側断面図、図２は本発明のポンプ付容器における容器の一部の側断面図、図３は図２のＩＩＩ−  ＩＩＩ線に沿う断面図である。
図面において、ポンプ付容器１は、容器３にポンプ２を螺着して内容液２０（図４参照）を注出するようにし、この容器３の底部４が、その周縁５から中心６にかけて、接地部７、該接地部７から急斜面で上昇させてなるリング状山部８、及び該リング状山部８からなだらかな傾斜で接地部７の少なくともほぼ同一レベルまで下降させてなる盆地部９を、順次同心的に連続して形成してなり、更に、盆地部９の中心部１０にポンプ２の吸引パイプ１１を下ろし、且つ盆地部９と接地部７との間にこれらを連通させる通路１２を設けたものである。
【００１０】
前記容器３は、シャンプー、リンス、洗剤、その他薬液等の内容液２０を収容するもので、その上部から口部２１、肩部２２、胴部２３及び前記底部４からなる。口部２１にはネジ２４が切られポンプ２が着脱自在に螺着されている。この口部２１にキャップ１３により螺着されるポンプ２は、吸引パイプ１１にて内容液２０を吸い上げること以外に特に限定がなく、手押しタイプでも、あるいはトリガータイプでも良い。この実施形態のポンプ２は、手押しタイプであり、ノズルヘッド２５を押すと、吸引パイプ１１から内容液２０を吸い上げ、ノズル２６から内容液２０を吐出するものである。
【００１１】
この容器３の底部４は、前述の通り、接地部７、リング状山部８及び盆地部９を、周縁５から中心６にかけて順次同心的に連続して形成してなるものである。この接地部７は、文字どおり地に接して設置平面に容器３を自立させるためのものであるから、容器３の周縁５に位置させるのが安定性の点から望ましく、しかもこの部分は衝撃や摩耗を直接受けるため、材質は無論のこと、耐久性を十分考慮した構造にする必要がある。その意味で接地部７から直ちに急斜面で上昇させてリング状山部８を形成することで、接地部７は外方に凸のリング状として、耐久性を十分考慮した構造とした。しかも、この構成により、接地部７内には内容液２４が溜まることになる。
【００１２】
リング状山部８は、底部４全体の耐久性を担う重要な役割を果たすが、一方で接地部７内に内容液２０を溜めてしまうことにもなるから、リング状山部８の頂点８ａからなだらかに接地部７のほぼ同一レベルまで下降させてなる盆地部９を形成している。このようにすることで、リング状山部８の頂点８ａを分水嶺として、内容液２０は接地部７及び盆地部９に分かれて溜まることになる。従って、接地部７及び盆地部９を連通させるために、前記通路１２を設けている。この通路１２は、図３では４本設けられているが、接地部７及び盆地部９を連通させれば良く、その本数及びその形状に、とくに限定はない。従って、この通路１２は１本でも良いし、成形上の簡便性を考えなければ、トンネル形状であっても良い。但し、この通路１２の底高は接地部７及び盆地部９の底高とほぼ同一レベルであるのがよく、通路１２の底高がこれらより高ければ、接地部７に溜まっている内容液２０が盆地部９に十分流れず、逆に低ければ、通路１２に内容液２０が溜まることになる。
【００１３】
盆地部９は、リング状山部８からなだらかに接地部７の少なくともほぼ同一レベルまで下降させてなる傾斜面である。この盆地部９の中心部１０にはポンプ２の吸引パイプ１１の先端を受けるピット２７がある。なお、このポンプ２の吸引パイプ１１は直管である。その理由は、容器３の口部２１から吸引パイプ１１を挿入する際の自動機の構造を単純に出来るためであり、更にこの手押しタイプのポンプ付容器１は、設置平面に置いた状態で使用することがほとんどであり、内容液２０の溜まり場が盆地部９の中心部１０からずれることが無いからである。従って、そこに盆地部９の中心部１０に吸引パイプ１１の先端を受けるピット２７の意義がある。これによって、吸引パイプ１１の先端に内容液２０を吸引するための隙間を十分確保しても、盆地部９内に残留する内容液２０を最小限にすることが出来る。
【００１４】
なお、このポンプ付容器１の容器３の成形方法は、二軸延伸ブロー成形を基本とするが、これに限定することなく、工業的に効率良く成形することが出来れば、ダイレクトブロー成形やその他の成形方法であっても良い。特に、通路１２を１ないし２本とすれば、ダイレクトブロー成形でも十分に成形が可能である。また、二軸延伸ブロー成形にあっては、成形に底型を用いることから、底部４及び通路１２の形状を任意に設計することができ、容器設計の自由度が大幅に広がる。さらに、この容器３の材質は、強度的な面あるいは成形性の面などからポリプロピレンやポリエチレンなどのポリオレフィン系やポリエステル系が一般に用いられるが、これに限定されるものではなく、物性等が工業的に優れているものであれば、他の材質であっても良いし、これらの材質の組み合わせあるいは他の材質とを組み合わせて多層容器とすることもできる。
【００１５】
次に、上記構成になるポンプ付容器１の使用方法について説明する。
まず、予定した内容液２０の種類・性質に沿う容器３及びポンプ２を選択し、容器３内に内容液２０を入れ、容器３の口部２１からノズルヘッド２５をロックした状態のポンプ２の吸引パイプ１１を差し込み、その先端を底部４の盆地部９のピット２７のわずか上方に位置させて、ポンプ２のキャップ１３を容器３に螺着する。そして、必要な包装を施し最終製品とする。
【００１６】
ユーザーは消費に際して、ノズルヘッド２５のロック状態を解除し、ノズルヘッド２５を押し吸引パイプ１１から内容液２０を吸い上げ、ノズル２６から必要量の内容液２０を吐出して消費する。内容液２０を消費して残り少なくなると、内容液２０は底部４の接地部７及び盆地部９に溜まる。更に内容液２０を吐出して消費すると、一義的には盆地部９にある内容液２０が減るが、接地部７と盆地部９とは通路１２により連通しているから、接地部７にある内容液２０が通路１２を通り盆地部９内に流れ、接地部７及び盆地部９に溜まっている内容液２０がほぼ無くなるまで共に消費され、内容液２０の残留は限りなく少なくなる。従って、ポンプ２を容器３から取り外して、内容液２０を使用するようなことをしなくても済む。
【００１７】
以上、本発明の実施形態を説明したが、具体的な構成はこれに限定されず、本発明の要旨を逸脱しない範囲での変更や組み合わせは適宜なし得るものと理解すべきである。
【００１８】
【発明の効果】
以上詳述したように、本発明によれば、容器の内容液を消費して底部の接地部及び盆地部に内容液が残り、更に消費すると一義的に盆地部にある内容液が減るが、通路により接地部にある内容液が盆地部内に流れるから、接地部及び盆地部に溜まっている内容液がほぼ無くなるまで消費することが出来る。従って、底部の形状からして工業的生産になじみ易く、容器の内容液が容器底部に残留することがなく、しかも底部の強度を高めることの出来る効果がある。
また、容器底部には吸引パイプ用のピットを形成することにより、吸引パイプの先端に内容液を吸引するための隙間を十分確保しても、盆地部及び接地部内に残留する内容液を限りなく少なくすることが出来る。
【図面の簡単な説明】
【図１】本発明の実施の形態を示すポンプ付容器の一部の側断面図である。
【図２】本発明のポンプ付容器における容器の一部の側断面図である。
【図３】図２のＩＩＩ  −ＩＩＩ  線に沿う断面図である。
【図４】本発明の実施の形態を示すポンプ付容器の使用状態の一部を断面した側面図である。
【図５】ポンプ付き容器の従来例の使用状態を示す一部を断面した側面図である。
【符号の説明】
１，  Ａ                    ポンプ付容器
２，  ｂ                    ポンプ
３                        容器
４，  ｃ                    底部
５                        周縁
６                        中心
７，  ｄ                    接地部
８                        リング状山部
８ａ                      頂点
９                        盆地部
１０，  ｅ                  中心部
１１，  ｆ                  吸引パイプ
１２                      通路
１３                      キャップ
２０，  ｇ                  内容液
２１，  ａ                  口部
２２                      肩部
２３                      胴部
２４                      ネジ
２５                      ノズルヘッド
２６                      ノズル
２７                      ピット
【図１】
2004284655.tif 000003
【図２】
2004284655.tif 000004
【図３】
2004284655.tif 000005
【図４】
2004284655.tif 000006
【図５】
2004284655.tif 000007